(57)【要約】【課題】  本発明の目的は、暗号化図形を用いてパスワードの解除を行う機能を有する携帯端末装置を提供することである。【解決手段】  本発明に係わる携帯端末装置においては、装置の操作が出来ない状態に設定するのにパスワードを用いる。そして、設定されたパスワードを図形に暗号化して、電子メールで他の装置に暗号化したパスワードを送信することで、外部に安全な形でパスワードを記憶、保管する。このため、第３者にパスワードが漏洩することが防止されるほか、携帯端末装置の所持者がこのパスワードを忘れた場合においても、所持者自身で装置の操作が出来ない状態となっている設定を解除することができる。【選択図】  図２
2006268289.tif 000002
【特許請求の範囲】
【請求項１】
入力部と、制御部と、記憶部と、画像読み取り部とを具備し、
前記制御部は、前記入力部から入力されるパスワードに基づいて特定の機能を設定し、前記パスワードを前記記憶部に格納すると共に、前記パスワードを暗号化図形の情報に変換して前記暗号化図形の情報を外部端末装置に保存し、
さらに、前記暗号化図形が前記画像読み取り部により読み取られると、
前記制御部は、読取られた前記暗号化図形を復号して復号パスワードとして認識し、前記記憶部に格納された前記パスワードと前記復号パスワードとを照合し、前記照合の結果が一致を示す場合に前記特定の機能を解除する
携帯端末装置。
【請求項２】
請求項１に記載の携帯端末装置において、
前記制御部は、前記入力部から入力されるパスワードに基づいて特定の機能を設定し、前記パスワードを含んだ鍵ファイルを生成し、前記鍵ファイルを前記記憶部に格納すると共に、前記鍵ファイルを暗号化図形に変換して前記暗号化図形の情報を外部端末装置に保存し、
さらに、前記暗号化図形が前記画像読み取り部により読み取られると、
前記制御部は、読取られた前記暗号化図形を前記鍵ファイルに復号して前記鍵ファイルに含まれるパスワードを復号パスワードとし、前記記憶部に格納された前記鍵ファイルに含まれる前記パスワードと前記復号パスワードとを照合し、前記照合の結果が一致を示す場合に前記特定の機能を解除する
携帯端末装置。
【請求項３】
請求項１または２に記載の携帯端末装置において、
前記鍵ファイルには、さらに、装置固有の識別番号が含まれ、
前記暗号化図形が前記画像読み取り部により読み取られると、
前記制御部は、読取られた前記暗号化図形を前記鍵ファイルに復号して前記鍵ファイルに含まれるパスワードおよび装置固有の識別番号をそれぞれ復号パスワードおよび復号識別番号とし、前記記憶部に格納された前記鍵ファイルに含まれる前記パスワードおよび前記装置固有の識別番号と、前記復号パスワードおよび前記復号識別番号とを照合し、前記照合の結果がそれぞれ一致する場合に前記特定の機能を解除する
携帯端末装置。
【請求項４】
請求項１から３までの少なくとも一項に記載の携帯端末装置において、
前記特定の機能は、前記携帯端末装置を操作不可能な状態にする機能である
携帯端末装置。
【請求項５】
請求項１から４までの少なくとも一項に記載の携帯端末装置において、
さらに、通信部を備え、
前記制御部は、前記通信部により前記暗号化図形の情報を外部端末装置に送信することにより、前記暗号化図形の情報は前記外部端末装置に保存される
携帯端末装置。
【請求項６】
請求項１から４までの少なくとも一項に記載の携帯端末装置において、
さらに、外部記憶媒体書き込み部を備え、
前記制御部は、前記外部記憶媒体書き込み部により前記暗号化図形の情報を外部記憶媒体に格納することにより、前記暗号化図形の情報は前記外部記憶媒体を介して前記外部端末装置に保存される
携帯端末装置。
【請求項７】
請求項１から６までに記載の少なくとも一項の携帯端末装置において、
前記携帯端末装置は、携帯電話である携帯端末装置。
【請求項８】
入力部と、制御部と、記憶部と、画像読み取り部とを具備する携帯端末装置のパスワード設定および解除方法であって、
前記入力部から入力されるパスワードに基づいて特定の機能を設定する機能設定ステップと、
前記パスワードを前記記憶部に格納するパスワード格納ステップと、
前記パスワードを暗号化図形の情報に変換するパスワード変換ステップと、
前記暗号化図形の情報を外部端末装置に保存する外部保存ステップと、
さらに、前記暗号化図形が前記画像読み取り部により読み取られることに基づいて、
読取られた前記暗号化図形を復号して復号パスワードとして認識する復号ステップと、
前記記憶部に格納された前記パスワードと前記復号パスワードとを照合するパスワード照合ステップと、
前記照合の結果が一致を示す場合に前記特定の機能を解除する機能解除ステップとを
具備する携帯端末装置のパスワード設定および解除方法。
【請求項９】
請求項８に記載の携帯端末装置のパスワード設定および解除方法において、
前記機能設定ステップの後に、前記パスワードを含んだ鍵ファイルを生成する鍵ファイル生成ステップと、
前記鍵ファイルを前記記憶部に格納する鍵ファイル格納ステップと、
前記鍵ファイルを暗号化図形に変換する鍵ファイル変換ステップと、
前記暗号化図形の情報を外部端末装置に保存する外部保存ステップと、
さらに、前記暗号化図形が前記画像読み取り部により読み取られることに基づいて、
読取られた前記暗号化図形を前記鍵ファイルに復号する鍵ファイル復号ステップと、
前記鍵ファイルに含まれるパスワードを復号パスワードとし、前記記憶部に格納された前記鍵ファイルに含まれる前記パスワードと前記復号パスワードとを照合する鍵ファイル照合ステップと、
前記照合の結果が一致を示す場合に前記特定の機能を解除する機能解除ステップとを
具備する携帯端末装置のパスワード設定および解除方法。
【請求項１０】
請求項９に記載の携帯端末装置のパスワード設定および解除方法において、
前記鍵ファイルには、さらに、装置固有の識別番号が含まれ、
前記暗号化図形が前記画像読み取り部により読み取られることに基づいて、
読取られた前記暗号化図形を前記鍵ファイルに復号する鍵ファイル復号ステップと、
前記鍵ファイルに含まれるパスワードおよび装置固有の識別番号をそれぞれ復号パスワードおよび復号識別番号とし、前記記憶部に格納された前記鍵ファイルに含まれる前記パスワードおよび前記装置固有の識別番号と、前記復号パスワードおよび前記復号識別番号とを照合する照合ステップと、
前記照合の結果が一致を示す場合に前記特定の機能を解除する機能解除ステップとを
具備する携帯端末装置のパスワード設定および解除方法。
【請求項１１】
請求項８から１０までの少なくとも一項に記載の携帯端末装置のパスワード設定および解除方法において、
前記特定の機能は、前記携帯端末装置を操作不可能な状態にする機能である
携帯端末装置のパスワード設定および解除方法。
【請求項１２】
請求項８から１１までの少なくとも一項に記載の携帯端末装置のパスワード設定および解除方法において、
前記携帯端末装置は、さらに、通信部を備え、
前記暗号化図形の情報は、前記通信部による前記暗号化図形の情報を外部端末装置に送信する送信ステップにより、前記外部端末装置に送信されて保存される
携帯端末装置のパスワード設定および解除方法。
【請求項１３】
請求項８から１１までの少なくとも一項に記載の携帯端末装置のパスワード設定および解除方法において、
前記携帯端末装置は、さらに、外部記憶媒体書き込み部を備え、
前記暗号化図形の情報は、前記外部記憶媒体書き込み部による前記暗号化図形の情報を外部記憶媒体に格納する外部記憶媒体格納ステップにより、前記外部記憶媒体を介して前記外部端末装置に保存される
携帯端末装置のパスワード設定および解除方法。
【請求項１４】
請求項８から１３までの少なくとも一項に記載の携帯端末装置のパスワード設定および解除方法を実現するための、コンピュータ読み込み可能な携帯端末装置のパスワード設定および解除プログラム。
【発明の詳細な説明】
【技術分野】
【０００１】
本発明は、携帯端末装置に関し、特に暗号化図形を用いてパスワードの解除を行う機能を有する携帯端末装置に関する。
【背景技術】
【０００２】
従来の携帯端末装置は、盗難時における第３者による装置操作を防止することを目的として、パスワードを用いて操作の出来ない状態にする機能を有している。しかし、このパスワードには数字の組み合わせを採用している為、当該携帯端末装置の所持者がパスワードとして登録した数字を忘れた場合には、本人によるパスワードの解除が出来なくなる。この結果、当該携帯端末装置をメーカ修理に出す必要が生じる。また、パスワードには数桁の短い数字の組み合わせを用いるため、当該パスワードを紙などに記載して保管した場合、あるいは、その紙を第３者に見られてしまった場合には、桁数が少ない簡単な数値の組み合わせである為、第３者に当該パスワードを簡単に記憶されて、パスワードを解除されてしまう。
【０００３】
このため、携帯端末装置の操作が出来ない状態にするのに、簡単に第３者に知られることの無い暗証方式、且つ、携帯端末装置の所持者がこの暗証を忘れてしまった場合においても、所持者自身により当該暗証を容易に解除することのできる暗証方式が必要とされている。
【０００４】
上記した技術に関連して、以下に示すような技術が提案されている。
【０００５】
特開２００４−１３５１２９号公報で開示されている「携帯通信端末」では、暗証番号入力を条件として各種機能が利用可能となる携帯通信端末において、特定発信者からの通信により暗証番号の初期化又は効力解除を行えるようにした携帯通信端末が提案されている。
【０００６】
また、特開平０４−１６９９５９号公報で開示されている「情報処理装置のパスワード入力方法」では、キーボード入力装置と、メモリ上のパスワード情報エリアと、パスワード情報を格納したフロッピーディスクと、該フロッピーディスクのパスワード情報を読み出すフロッピーディスク装置と、上記キーボード入力装置および上記フロッピーディスク装置のいずれか一方を介して得られたパスワード情報と上記メモリ上のパスワード情報との照合を行うパスワード照合手段とを含む情報処理装置のパスワード入力方法が提案されている。
【０００７】
また、特開平０４−３６１３４２号公報で開示されている「電子機器および電子機器のパスワードロックの解除方法」では、秘密に保持されるべき情報が記録されている記録媒体を駆動するための駆動装置を備えパスワードの入力によって次のステップへの移行を制御する電子機器において、上記記録媒体の特定の記録領域にあらかじめパスワードロック解除可データを記録しておき、このパスワードロック解除可データを読み取ることにより、以後のパスワード入力手順を省略して次のステップに移行する電子機器が提案されている。
【０００８】
また、特開平０６−３１７０５２号公報で開示されている「入力システム」では、情報を入力するためのキーを有する携帯型入力機器と、この携帯型入力機器が直接的または間接的に接続され、前記携帯型入力機器から操作ロック解除用の情報が入力されたとき、操作ロックを解除する固定機器と、を備えた入力システムが提案されている。
【０００９】
また、特開平０８−１６１２６５号公報で開示されている「手書き入力装置」では、本体に設けられ、外部から送信されてくる赤外線を受信する赤外線受信手段と、赤外線受信手段で受信された赤外線を解析する赤外線解析手段と、パスワード等の情報を記憶する記憶手段と、赤外線解析手段によって解析された情報とパスワードとを照合するパスワード照合手段と、パスワードを解除するためのパスワード解除手段と、本体外に設けられ、パスワードを赤外線によって送信する赤外線送信手段とを有する手書き入力装置が提案されている。
【００１０】
また、特開平１１−２３９２６３号公報で開示されている「通信装置、および通信方法」では、電子メールを受信する受信手段と、この受信した電子メールデータの中のパスワードを検出する検出手段と、この検出手段により検出したパスワードが正しいものであると判断した時にファクシミリ転送するファクシミリ転送手段とを備える通信装置が提案されている。
【００１１】
【特許文献１】特開２００４−１３５１２９号公報
【特許文献２】特開平０４−１６９９５９号公報
【特許文献３】特開平０４−３６１３４２号公報
【特許文献４】特開平０６−３１７０５２号公報
【特許文献５】特開平０８−１６１２６５号公報
【特許文献６】特開平１１−２３９２６３号公報
【発明の開示】
【発明が解決しようとする課題】
【００１２】
本発明の目的は、暗号化図形を用いてパスワードの解除を行う機能を有した携帯端末装置を提供することである。
【課題を解決するための手段】
【００１３】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の携帯端末装置（１０、７０）は、入力部（１３）と、制御部（１５）と、記憶部（１７）と、画像読み取り部（１４）とを備え、制御部は、入力部から入力されるパスワードに基づいて特定の機能を設定し、パスワードを記憶部に格納すると共に、パスワードを暗号化図形（５０，６０）に変換して暗号化図形の情報を外部端末装置に保存し、さらに、暗号化図形が画像読み取り部により読み取られると、制御部は、読取られた暗号化図形を復号して復号パスワードとして認識し、記憶部に格納されたパスワードと復号パスワードとを照合し、照合の結果が一致を示す場合に特定の機能を解除する。
【００１５】
また、本発明の携帯端末装置（１０，７０）において、制御部（１５）は、入力部（１３）から入力されるパスワードに基づいて特定の機能を設定し、パスワードを含んだ鍵ファイル（４４）を生成し、鍵ファイルを記憶部（１７）に格納すると共に、鍵ファイルを暗号化図形（５０，６０）に変換して暗号化図形の情報を外部端末装置に保存し、さらに、暗号化図形が画像読み取り部（１４）により読み取られると、制御部は、読取られた暗号化図形を鍵ファイルに復号して鍵ファイルに含まれるパスワードを復号パスワードとし、記憶部に格納された鍵ファイルに含まれるパスワードと復号パスワードとを照合し、照合の結果が一致を示す場合に特定の機能を解除する。
【００１６】
また、本発明の携帯端末装置（１０，７０）において、鍵ファイル（４４）には、さらに、装置固有の識別番号（４３）が含まれ、暗号化図形（５０、６０）が画像読み取り部（１４）により読み取られると、制御部（１５）は、読取られた暗号化図形を鍵ファイルに復号して鍵ファイルに含まれるパスワードおよび装置固有の識別番号をそれぞれ復号パスワードおよび復号識別番号とし、記憶部に格納された鍵ファイルに含まれるパスワードおよび装置固有の識別番号と、復号パスワードおよび復号識別番号とを照合し、照合の結果がそれぞれ一致する場合に特定の機能を解除する。
【００１７】
また、本発明の携帯端末装置（１０，７０）における特定の機能は、携帯端末装置を操作不可能な状態にする機能である。
【００１８】
また、本発明の携帯端末装置（１０）において、さらに、通信部（１１，１９）を備え、制御部（１５）は、通信部により暗号化図形（５０，６０）の情報を外部端末装置に送信することにより、暗号化図形の情報は外部端末装置に保存される。
【００１９】
また、本発明の携帯端末装置（７０）は、さらに、外部記憶媒体書き込み部（７５）を備え、制御部（１５）は、外部記憶媒体書き込み部により暗号化図形（５０，６０）の情報を外部記憶媒体に格納することにより、暗号化図形の情報は外部記憶媒体を介して外部端末装置に保存される。
【００２０】
また、本発明の携帯端末装置（１０、７０）における携帯端末装置は、携帯電話である。
【００２１】
また、本発明の携帯端末装置（１０，７０）のパスワード設定および解除方法は、入力部（１３）と、制御部（１５）と、記憶部（１７）と、画像読み取り部（１４）とを備える携帯端末装置のパスワード設定および解除方法であって、入力部から入力されるパスワードに基づいて特定の機能を設定する機能設定ステップと、パスワードを記憶部に格納するパスワード格納ステップと、パスワードを暗号化図形（５０，６０）に変換するパスワード変換ステップと、暗号化図形の情報を外部端末装置に保存する外部保存ステップと、さらに、暗号化図形が画像読み取り部（１４）により読み取られることに基づいて、読取られた暗号化図形を復号して復号パスワードとして認識する復号ステップと、記憶部に格納されたパスワードと復号パスワードとを照合するパスワード照合ステップと、照合の結果が一致を示す場合に特定の機能を解除する機能解除ステップとを備える。
【００２２】
また、本発明の携帯端末装置（１０，７０）のパスワード設定および解除方法において、機能設定ステップの後に、パスワードを含んだ鍵ファイル（４４）を生成する鍵ファイル生成ステップと、鍵ファイルを記憶部（１７）に格納する鍵ファイル格納ステップと、鍵ファイルを暗号化図形（５０，６０）に変換する鍵ファイル変換ステップと、暗号化図形の情報を外部端末装置に保存する外部保存ステップと、さらに、暗号化図形が画像読み取り部（１４）により読み取られることに基づいて、読取られた暗号化図形を鍵ファイルに復号する鍵ファイル復号ステップと、鍵ファイルに含まれるパスワードを復号パスワードとし、記憶部に格納された鍵ファイルに含まれるパスワードと復号パスワードとを照合する鍵ファイル照合ステップと、照合の結果が一致を示す場合に特定の機能を解除する機能解除ステップとを備える。
【００２３】
また、本発明の携帯端末装置（１０，７０）のパスワード設定および解除方法において、鍵ファイル（４４）には、さらに、装置固有の識別番号（４３）が含まれ、暗号化図形（５０，６０）が画像読み取り部（１４）により読み取られることに基づいて、読取られた暗号化図形を鍵ファイルに復号する鍵ファイル復号ステップと、鍵ファイルに含まれるパスワードおよび装置固有の識別番号をそれぞれ復号パスワードおよび復号識別番号とし、記憶部に格納された鍵ファイルに含まれるパスワードおよび装置固有の識別番号と、復号パスワードおよび復号識別番号とを照合する照合ステップと、照合の結果が一致を示す場合に特定の機能を解除する機能解除ステップとを備える。
【００２４】
また、本発明の携帯端末装置（１０、７０）のパスワード設定および解除方法において、特定の機能は、携帯端末装置を操作不可能な状態にする機能である。
【００２５】
また、本発明の携帯端末装置（１０）のパスワード設定および解除方法において、携帯端末装置は、さらに、通信部（１１，１９）を備え、暗号化図形（５０，６０）の情報は、通信部による暗号化図形の情報を外部端末装置に送信する送信ステップにより、外部端末装置に送信されて保存される。
【００２６】
また、本発明の携帯端末装置（７０）のパスワード設定および解除方法において、携帯端末装置は、さらに、外部記憶媒体書き込み部（７５）を備え、暗号化図形（５０，６０）の情報は、外部記憶媒体書き込み部による暗号化図形の情報を外部記憶媒体に格納する外部記憶媒体格納ステップにより、外部記憶媒体を介して外部端末装置に保存される。
【００２７】
また、本発明のパスワード設定および解除プログラムは、請求項８から１３までの少なくとも一項に記載の携帯端末装置（１０，７０）のパスワード設定および解除方法を実現し、コンピュータにより読み込み可能である。
【発明の効果】
【００２８】
本発明により、暗号化図形を用いてパスワードの解除を行う機能を有する携帯端末装置を提供することができる。
【００２９】
これにより、携帯端末装置の操作が出来ない状態にするのに、簡単に第３者に知られることの無い暗証方式が実現し、且つ、携帯端末装置の所持者がこの暗証を忘れた場合においても、所持者自身で容易に当該暗証を解除することができる。このため、情報管理に優れ、且つ利便性の高い携帯端末装置を実現することができる。
【発明を実施するための最良の形態】
【００３０】
添付図面を参照して、本発明による携帯端末装置を実施するための最良の形態を以下に説明する。本発明の携帯端末装置においては、装置の操作が出来ない状態に設定するのにパスワードが用いられる。設定されたパスワードは、図形に暗号化されて、電子メールで他の装置に暗号化したパスワードとして送信されることにより、外部に安全な形でパスワードを記憶、保管することが出来る。このため、第３者にパスワードが漏洩することが防止されるほか、携帯端末装置の所持者がこのパスワードを忘れた場合においても、所持者自身により、装置の操作が出来ない状態となっている設定を解除することができる。
【００３１】
（実施の形態１）
図１に、本発明の実施の形態１に係わる携帯端末装置の概略構成を示す。本実施の形態の携帯端末装置１０は、いくつかの特殊キーや数字キーを入力するための入力部１３と、入力結果や内部動作による出力結果を表示する為の表示部１２と、装置全体の動作の制御、ならびにパスワードの暗号図形化、その復号化を行う制御部１５と、画像を読み込むための画像読み取り部１４と、生成された暗号図形の情報を電子メールで送信する通信部１１および通信部１１に接続されるアンテナ部１９とを備えている。入力部１３と、表示部１２と、制御部１５と、画像読み取り部１４と、通信部１１とはそれぞれバスライン１８で接続されている。また、制御部１５は、ＣＰＵ１６と記憶部１７とを有している。記憶部１７には、予め、本実施の形態に係わる携帯端末における操作ができない状態に設定し、また、設定を解除するためのパスワードを含んだ鍵ファイルを暗号図形化し、あるいは、当該暗号図形の情報を電子メールにより外部装置に送信するためのパスワード設定プログラム１７ａと、当該暗号図形化された鍵ファイルを復号し、鍵ファイルに含まれるパスワードや装置固有番号などの規定照合を行うことにより、装置の操作不可能となっている設定を解除するためのパスワード解除プログラム１７ｂとを備えている。
【００３２】
（パスワード設定の動作原理）
図２に、本実施の形態におけるパスワードを設定するための動作フローを示す。本実施の形態の携帯端末装置１０において、入力部１３からパスワード入力のための設定が行われると、ＣＰＵ１６は、記憶部１７に予め格納されている、パスワード設定プログラム１７ａを読み込んで実行する。パスワード設定プログラム１７ａが実行されると、当該装置の入力部１３からパスワードの入力が可能となる。そして、入力部１３からパスワードの入力が行われると（ステップＳ２１）、入力されたパスワードを記憶部１７に格納すると共に、入力されたパスワードに基づいて鍵ファイルが生成される（ステップＳ２２）。図３に、暗号化前の鍵ファイルの構造例を示す。図３に示した鍵ファイルの例においては、１行目に装置名４１、２行目に装置型番４２、３行目に装置固有番号４３、４行目に入力されたパスワード４４が配列されている。ここで、装置固有番号４３とは、当該装置だけに付される固有の番号である。この鍵ファイルについては、以下の条件を満たすものであれば、構成要件は図３に示される例と同じである必要はない。つまり、条件として、（１）入力したパスワードを格納してあること。及び、（２）鍵ファイルを構成する構成要件が他と容易に一致することのない内容のものを有していることの２点が満たされていれば良い。図３に示される鍵ファイルの例では、装置固有番号４３が、容易に一致することのない内容として備えられている。装置固有番号４３の具体例としては、携帯端末装置１０が携帯電話であるならば、携帯電話番号がそれに相当する。また、携帯端末装置１０が無線を内蔵する携帯端末装置であるならば、Ｍａｃアドレスがそれにあたる。
【００３３】
次に、生成された鍵ファイルに基づいて暗号化図形が生成される（ステプＳ２３）。以下に、数字を図形として暗号化する例を示す。例えば、数字の２５を図形として暗号化する場合、まず、数字をのＡＳＣＩＩコードにより２進数で表すと、００１１００１０および００１１０１０１となる。そして、下記のような升目に上位ビットから順に対応させて、１の場合は白ぬり、０の場合は黒塗りと変換することで、数字の暗号化図形を生成することが出来る。
【００３４】
２の場合    ■■□□■■□■
５の場合    ■■□□■□■□
上記方法で作成された例を図４に示す。図４の例は、升目を２次元に配列した例であるが、図５に示すように、この変換を太い線と細い線の２種類の線で対応させることで、横方向だけの１次元的な暗号化図形を生成することも可能である。
【００３５】
生成された暗号化図形ファイルは、電子メールに添付されて、本実施の形態の携帯端末装置１０の通信部１１およびアンテナ部１９を介して外部装置に送信される（ステップＳ２４）。外部装置においては、本実施の形態の携帯端末装置１０から送られて来る暗号化図形ファイルを受信して、自身の記憶部に記憶する（ステップＳ２５）。これにより、本実施の形態の携帯端末装置１０の操作不可能な状態を解除するためのパスワードを、第３者に解読されにくい安全な形で、外部の装置に記憶、保管することが可能となる。
【００３６】
（パスワード解除の動作原理）
図６に、本実施の形態におけるパスワードを解除するための動作フローを示す。本実施の形態の携帯端末装置１０において、入力部１３からパスワード解除のための設定が行われると、ＣＰＵ１６は、記憶部１７に予め格納されている、パスワード解除プログラム１７ｂを読み込んで実行する。パスワード解除プログラム１７ｂが実行されると、当該装置の画像読み取り部１４による暗号化図形の読込みが可能となり、画像読み取り部１４による暗号化図形の読込みが行われる（ステップＳ３１）。この際読込まれる図形は、ステップ２３により生成され、電子メールで外部端末装置に送られた暗号化図形ファイルを、印刷機器などで出力したものである。そして、読込まれた暗号化図形に基づいて鍵ファイルが復号される（ステップＳ３２）。次に、復号された鍵ファイルにおける装置固有番号４３と、本実施の形態の携帯端末装置１０の記憶部１７に予め格納されている自身の装置固有番号とを照合することにより、復号された鍵ファイルが、その装置自身で暗号化された鍵ファイルであるかの確認がとられる（ステップＳ３３）。ステップＳ３３において、装置固有番号が一致した場合には、引き続いて、鍵ファイル内のパスワード４４と、本実施の形態の携帯端末装置１０の記憶部１７に格納されている自身のパスワードとの照合が行われる（ステップＳ３４）。そして、照合の結果一致した場合には、装置の操作ができない状態が、パスワードにより解除される（ステップＳ３５）。ステップ３３およびステップ３４において、それぞれ装置固有番号４３、あるいはパスワードが一致しなかった場合においては、再度ステップＳ３１の、暗証化図形の読込みに戻って処理が再開される。
【００３７】
本発明の実施の形態においては、設定されたパスワードを暗号図形化して、電子メールで他の装置に暗号図形化したパスワードを送信することで、外部に安全な形でパスワードを記憶、保管することが出来る。このため、第３者にパスワードが漏洩することが防止されるほか、携帯端末装置の所持者がこのパスワードを忘れた場合においても、所持者自身で装置の操作が出来ない状態となっている設定を解除することができる。このため、情報管理に優れ、且つ利便性の高い携帯端末装置１０を実現することができる。
【００３８】
（実施の形態２）
図７に、本発明の実施の形態２に係わる携帯端末装置の概略構成を示す。本実施の形態の携帯端末装置７０の基本的な構成は、実施の形態１のそれと同様である。但し、本実施の形態においては、通信部１１および通信部に接続されているアンテナ部１９を備えず、外部記憶媒体出力部７５を備えている。また、本実施の形態のパスワード設定プログラム１７ａは、記憶部１７に一端格納された暗号化図形ファイルを、外部記憶媒体出力部７５により外部記憶媒体に書き込む機能を有している。
【００３９】
本実施の形態に示される通信機能を備えない携帯端末装置７０であっても、外部記憶媒体に対する書き込み機能を有することで、外部記憶媒体に暗号化図形ファイルを書き込むことができる。これにより、外部記憶媒体を介して外部端末装置にパスワードを記憶、保存することができる。そして、所持者がパスワードを忘れた場合においても、実施の形態１同様、外部端末装置から暗号化図形を出力して本実施の形態の画像読み取り部１４で当該画像を読取ることにより、所持者自身によるパスワードの解除が可能となる。また、外部記憶媒体に記録されるパスワードは暗号化図形なので、パスワード自体が第３者に漏洩することを防ぐことが出来る。
【００４０】
（実施の形態２によるパスワード設定の動作原理）
実施の形態２におけるパスワードを設定するための基本的な動作フローは、図２に示される実施の形態１におけるそれと同様である。ここでは、本実施の形態の動作フローのうち、実施の形態１とは異なる動作について説明する。
【００４１】
本実施の形態においては、鍵ファイルに基づいて暗号化図形が作成されると、生成された暗号化図形ファイルは、外部記憶媒体出力部７５により、本実施の形態の携帯端末装置７０の外部記憶媒体出力部７５に挿入される外部記憶媒体に書き込まれて格納される。そして、暗号化図形ファイルの格納された外部記憶媒体は、任意の外部端末装置に輸送されて当該外部端末装置の記憶部に記憶される。これにより、本実施の形態の携帯端末装置７０の操作不可能な状態を解除するためのパスワードを、解読されにくい安全な形で、外部の装置に記憶、保管することが可能となる。
【００４２】
（実施の形態２によるパスワード解除の動作原理）
実施の形態２におけるパスワードを解除するための動作フローは、図６に示される実施の形態１におけるそれと同様であり、ここではその説明を省略する。
【００４３】
本発明の実施の形態においては、設定されたパスワードを暗号図形化して、外部記憶媒体を介して、外部端末装置に暗号図形化した当該パスワードを記憶させることで、外部に安全な形でパスワードを記憶、保管する。このため、第３者にパスワードが漏洩することが防止されるほか、携帯端末装置７０の所持者がこのパスワードを忘れた場合においても、所持者自身で装置の操作が出来ない状態となっている設定を解除することができる。このため、情報管理に優れ、且つ利便性の高い携帯端末装置７０を実現することができる。
【図面の簡単な説明】
【００４４】
【図１】実施の形態１に係わる概略構成を示す図である。
【図２】実施の形態１の動作フローを示す図である。
【図３】実施の形態１における鍵ファイルの構造例を示す図である。
【図４】実施の形態１における暗号化図形例を示す図である。
【図５】実施の形態１における暗号化図形例を示す図である。
【図６】実施の形態１の動作フローを示す図である。
【図７】実施の形態２に係わる概略構成を示す図である。
【符号の説明】
【００４５】
１０、７０…携帯端末装置
１１…通信部
１２…表示部
１３…入力部
１４…画像読み取り部
１５…制御部
１６…ＣＰＵ
１７…記憶部
１７ａ…パスワード設定プログラム
１７ｂ…パスワード解除プログラム
１８…バスライン
１９…アンテナ部
４１…装置名
４２…装置型番
４３…装置固有番号
４４…パスワード
５０…暗号化図形Ａ
６０…暗号化図形Ｂ
７５…外部記憶媒体入出力ドライバ
【図１】
2006268289.tif 000003
【図２】
2006268289.tif 000004
【図３】
2006268289.tif 000005
【図４】
2006268289.tif 000006
【図５】
2006268289.tif 000007
【図６】
2006268289.tif 000008
【図７】
2006268289.tif 000009